(57)【特許請求の範囲】
【請求項１】
扉板の上端面部幅方向にわたって取り付けられると共に、端縁に係止部を形成してなる断面略Ｌ形の把手取付具と、前面に手掛かり用凹所を形成すると共に、背面の下方角部に、把手取付具の係止部に係止される係止受部を備えて把手取付具に嵌合係止される断面略Ｌ形の切欠部を形成してなる断面略コ形の把手本体とからなることを特徴とする把手。
【請求項２】
少なくとも、把手取付具の上端縁に係止部を形成し、把手本体の切欠部の上端縁に係止受部を形成してなる請求項１記載の把手。
【発明の詳細な説明】
【０００１】
【発明の属する技術分野】
この出願の発明は、把手に関するものである。さらに詳しくは、奥方に深く入り込んだ手掛かり用凹所を形成することができ、手掛かり用凹所に手を掛けて使用する際に、爪、指先等が手掛かり用凹所の内面に突き当たることなく円滑に手を掛けて使用することができ、また、取り付けも簡単に行うことができる把手に関するものである。
【０００２】
【従来の技術】
従来、流し台、厨房台、洗面化粧台等のキャビネットの引き出し前板体や、扉体等を構成する扉板に取り付けて使用する把手としては、図３に例示したように、扉板（ア）の上端面部幅方向（長手方向）にわたって取り付けられる断面略Ｌ形の把手取付具（イ）と、前面に手掛かり用凹所（ウ）を形成すると共に、底面に把手取付具（イ）全体を上方から覆って収納する収納凹所（エ）を形成してなる断面略コ形の把手本体（オ）とからなる把手（カ）が知られている。
【０００３】
また、上記把手（カ）を扉板（ア）に取り付ける場合には、図３に例示したように、把手取付具（イ）を扉板（ア）の上端面部後端から所定距離前方へずらせた位置にビス等の止具（キ）を介して取り付け、把手取付具（イ）全体を上方から覆って把手本体（オ）の収納凹所（エ）に収納するように把手本体（オ）を嵌合し、止具（キ）を介して取り付けることによって、把手本体（オ）と扉板（ア）の背面を面一に合わせて取り付けていた。
【０００４】
【発明が解決しようとする課題】
しかしながら、上記従来の把手（カ）においては、把手本体（オ）に把手取付具（イ）全体を上方から覆って収納する収納凹所（エ）を形成するため、この部分の肉厚を大きくする必要があり、従って、奥方（後方）に深く入り込んだ手掛かり用凹所（ウ）を形成することができず、手掛かり用凹所（ウ）に手を掛けて使用する際に、爪、指先等が手掛かり用凹所（ウ）の内面に突き当たり、円滑に手を掛けて使用することができないことがあるという問題があった。
【０００５】
また、把手（カ）を扉板（ア）に取り付ける場合にも、把手本体（オ）と扉板（ア）の背面を面一に合わせて取り付けるために、把手取付具（イ）を扉板（ア）の上端面部後端から所定距離前方へずらせた位置に取り付けたり、把手取付具（イ）全体を上方から覆って把手本体（オ）の収納凹所（エ）に収納するように取り付けたりするのに手間がかかるという問題があった。
【０００６】
この出願の発明は、以上の通りの事情に鑑みて為されたものであり、上記の問題点を解消し、奥方に深く入り込んだ手掛かり用凹所を形成することができ、手掛かり用凹所に手を掛けて使用する際に、爪、指先等が手掛かり用凹所の内面に突き当たることなく円滑に手を掛けて使用することができ、また、取り付けも簡単に行うことができる把手を提供することを解決すべき課題としている。
【０００７】
【課題を解決するための手段】
この出願の発明は、上記の課題を解決するために為されたものであって、第１の発明は、扉板の上端面部幅方向にわたって取り付けられると共に、端縁に係止部を形成してなる断面略Ｌ形の把手取付具と、前面に手掛かり用凹所を形成すると共に、背面の下方角部に、把手取付具の係止部に係止される係止受部を備えて把手取付具に嵌合係止される断面略Ｌ形の切欠部を形成してなる断面略コ形の把手本体とからなることを特徴とする把手を提供する。
【０００８】
また、第２の発明は、少なくとも、把手取付具の上端縁に係止部を形成し、把手本体の切欠部の上端縁に係止受部を形成してなる前記の把手を提供する。
【０００９】
【発明の実施の形態】
この出願の発明は、上記の通りの特徴をもつものであるが、以下、その実施の形態について説明する。
【００１０】
図１は、この出願の発明の把手の一実施形態を例示した縦断面図、図２（ａ）、（ｂ）、（ｃ）は、同上一実施形態において使用せる把手取付具、把手本体、化粧材を例示した縦断面図である。
【００１１】
図１および図２（ａ）、（ｂ）、（ｃ）に例示したように、この出願の発明の把手は、前述と同様にして扉板（不図示）の上端面部幅方向（長手方向）にわたって取り付けられると共に、端縁に係止部（１）を形成してなる断面略Ｌ形のアングル体よりなる把手取付具（２）と、前面に手掛かり用凹所（３）を形成すると共に、背面の下方角部に、把手取付具（２）の係止部（１）に係止される係止受部（４）を備えて把手取付具（２）に嵌合係止される断面略Ｌ形の切欠部（５）を形成してなる断面略コ形の前面開口溝形体よりなる把手本体（６）とからなることを特徴とする把手（７）に関するものである。
【００１２】
なお、この出願の発明において、把手取付具（２）に係止部（１）を形成し、把手本体（６）の切欠部（５）に係止受部（４）を形成する場合には、図２（ａ）、（ｂ）に例示したように、把手取付具（２）、および把手本体（６）の切欠部（５）の上端縁（８）、下端縁（９）、側端縁等、所望の端縁に、傾斜角（θ）が４５度程度の傾斜端面（１０）を形成し、傾斜端面（１０）同志を当接させることによって嵌合係止されるようにして係止部（１）および係止受部（４）を形成すれば良い。
【００１３】
また、把手本体（６）の前面に手掛かり用凹所（３）を形成する場合には、図１および図２（ｂ）に例示したように、把手本体（６）の強度を損なわない限り、できるだけ奥方に深く入り込んだ略角溝形状の手掛かり用凹所（３）を形成すれば良い。
【００１４】
また、把手本体（６）の背面の下方角部に切欠部（５）を形成する場合には、図１に例示したように、把手本体（６）の切欠部（５）を把手取付具（２）に嵌合係止させた際に、把手本体（６）および把手取付具（２）の背面が面一になるように、把手本体（６）の切欠部（５）の深さおよび把手取付具（２）の肉厚を同一寸法に合わせて把手本体（６）の切欠部（５）を形成すれば良い。
【００１５】
また、把手取付具（２）および把手本体（６）を形成する場合には、例えば、アルミニウム、ステンレス等の金属材料を使用して、押し出し成形法、プレス成形法等にて成形を行って、扉板の上端面部幅方向（長手方向）全長にわたる長さ〔通常汎用されている扉板の上端面部幅方向（長さ方向）の全長寸法である１４０〜８９０ｍｍ〕の把手取付具（２）および把手本体（６）を形成すれば良い。
【００１６】
また、図１および図２（ａ）において、（１１）は、前述と同様にして止具を介して取り付ける際に止具を挿入する皿穴であり、図１および図２（ｂ）において、（１２）は、止具を介して取り付ける際の雌ねじ切り用のタップである。
【００１７】
以上の通り、この出願の発明の把手（７）においては、扉板の上端面部幅方向（長手方向）にわたって取り付けられると共に、端縁に係止部（１）を形成してなる断面略Ｌ形の把手取付具（２）と、前面に手掛かり用凹所（３）を形成すると共に、背面の下方角部に、把手取付具（２）の係止部（１）に係止される係止受部（４）を備えて把手取付具（２）に嵌合係止される断面略Ｌ形の切欠部（５）を形成してなる断面コ字形の把手本体（６）とからなるので、把手（７）を扉板に取り付ける場合に、従来のように、把手取付具（イ）を扉板（ア）の上端面部後端から所定距離前方へずらせた位置に取り付ける必要がなく、把手取付具（２）および扉板の背面を面一に合わせて取り付けると共に、把手本体（６）の背面の下方角部に形成した切欠部（５）を把手取付具（２）に嵌合係止させて取り付けることができる。従って、可及的に奥方に深く入り込んだ手掛かり用凹所（３）を形成することができ、手掛かり用凹所（３）に手を掛けて使用する際に、爪、指先等が手掛かり用凹所（３）の内面に突き当たることなく余裕をもって円滑に手を掛けて使用することができ、また、把手本体（６）、把手取付具（２）および扉板の背面を面一に合わせるだけで取り付けることができ、取り付けも簡単に行うことができる。
【００１８】
また、この出願の発明の把手（７）において、前述の図１および図２（ａ）、（ｂ）に例示したように、少なくとも、把手取付具（２）の上端縁（８）に係止部（１）を形成し、把手本体（６）の切欠部（５）の上端縁（８）に係止受部（４）を形成した場合には、手掛かり用凹所（３）に手を掛けて把手（７）を前方に引いた時に、係止部（１）と係止受部（４）の嵌合係止力が効果的に発揮され、前方へ係る力に抗することができる。
【００１９】
また、この出願の発明の把手（７）において、図１および図２（ｂ）、（ｃ）に例示したように、把手本体（６）の上部全長にわたって、把手本体（６）とは異なった色調（例えば、木材調）を有する異種材料であるアクリル樹脂等の合成樹脂の押し出し成形品、プレス成形品等よりなる下面開口の溝形体よりなる化粧材（１３）を嵌着して化粧仕上げした場合には、前方から見た時に、２トーンカラーの色調を有する意匠性の優れた把手（７）を形成することができる。
【００２０】
なお、上記把手本体（６）の上部全長にわたって、化粧材（１３）を嵌着する場合には、図１および図２（ｂ）、（ｃ）に例示したように、把手本体（６）の前面上端部および背面上端部の全長にわたって係止溝（１４）を形成すると共に、化粧材（１３）の内壁部全長にわたって、係止溝（１４）に嵌合係止される係止突条（１５）を形成し、かつ、把手本体（６）の前面部から化粧材（１３）の前面部が突出するように、把手本体（６）の係止溝（１４）に化粧材（１３）の係止突条（１５）を弾性力によって嵌合係止させつつ、把手本体（６）の上部全長にわたって、化粧材（１３）を嵌着すると、把手本体（６）および化粧材（１３）の前面境界部の美感を損うことなく把手本体（６）に化粧材（１３）を簡単、確実に嵌着することができる。
【００２１】
勿論、この出願の発明は、以上の実施形態によって限定されるものではなく、把手取付具、把手本体の形状、構造、材質等、細部については、様々な態様が可能であることはいうまでもない。
【００２２】
【発明の効果】
以上詳しく説明した通り、この出願の発明によって、奥方に深く入り込んだ手掛かり用凹所を形成することができ、手掛かり用凹所に手を掛けて使用する際に、爪、指先等が手掛かり用凹所の内面に突き当たることなく円滑に手を掛けて使用することができ、また、取り付けも簡単に行うことができる。
【図面の簡単な説明】
【図１】この出願の発明の把手の一実施形態を例示した縦断面図である。
【図２】（ａ）、（ｂ）、（ｃ）は、同上一実施形態において使用せる把手取付具、把手本体、化粧材を例示した縦断面図である。
【図３】従来の把手の取付状態を例示した縦断面図である。
【符号の説明】
１  係止部
２  把手取付具
３  手掛かり用凹所
４  係止受部
５  切欠部
６  把手本体
７  把手
８  上端縁
９  下端縁
１０  傾斜端面
１１  皿穴
１２  タップ
１３  化粧材
１４  係止溝
１５  係止突条
【図１】
0003651458.tif 000002
【図２】
0003651458.tif 000003
【図３】
0003651458.tif 000004